【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
光線治療器において、
少なくとも１つの治療用波長を発する少なくとも１つの有機発光ダイオードと、
温度、発せられる光の望ましい強さ、有機発光ダイオードの少なくとも一部の活性化および不活性化、センサーからの入力、発せられた光の望ましいスペクトル、治療の長さ、照明の領域、または、それらの組合せに基づいて、少なくとも１つの有機発光ダイオードを制御するための制御モジュールと
を含む、光線治療器。
【請求項２】
前記光線治療器は、ざ瘡、乾癬、湿疹、癌、前癌、鬱病、多食症、光線性角化症、甲状腺疾患、季節性感情障害、および、日周期リズム維持障害、神経障害、しわ、セリュライト、睡眠障害、パーキンソン病に関係する震え、発毛不良、生殖能力の不良、肥満、外傷、血行不良、過敏性大腸症候群、疝痛、炎症、関節炎、レイノー症候群、感染から選ばれた１つ以上の病状の治療に対して使用することができる、請求項１に記載の光線治療器。
【請求項３】
前記光線治療器は新生児黄疸を治療することができる、請求項１に記載の光線治療器。
【請求項４】
前記ＯＬＥＤは、医薬品を活性化するための波長を発することができる、請求項３に記載の光線治療器。
【請求項５】
光線力学治療法のための前記有機発光ダイオードによって活性化される医薬品をさらに含む、請求項４に記載の光線治療器。
【請求項６】
前記光線治療器は、歯のホワイトニング、減量、発毛、しわ取り、肌の色合いの均等化、または、セリュライトの出現を減らすことのために使用することができる、請求項１に記載の光線治療器。
【請求項７】
前記有機発光ダイオードは、
ＯＬＥＤ素子基板と、
アノードと、
カソードと、
前記アノードと前記カソードと電気的に接続された、有機材料を含む活性領域と、
前記有機発光ダイオードを覆う被包と
を含む請求項１に記載の光線治療器。
【請求項８】
少なくとも１つの前記アノードと前記カソードは透明である、請求項７に記載の光線治療器。
【請求項９】
前記アノード、前記カソード、および前記ＯＬＥＤ素子基板は、少なくとも１つの有機発光ダイオードが、前記アノードと前記カソードの両方向に光を発する構成となるようにほぼ透明である、請求項７に記載の光線治療器。
【請求項１０】
前記活性領域は、約５０ｎｍよりも大きい半値全幅で広帯域発光スペクトルを発するように構成される、請求項７に記載の光線治療器。
【請求項１１】
前記活性領域は、単一の発光体を形成する連続領域である、請求項７に記載の光線治療器。
【請求項１２】
前記活性領域は、多くの発光体を含む、請求項７に記載の光線治療器。
【請求項１３】
前記制御モジュールは、活性化、非活性化および発光体の少なくとも一部の活性レベルを制御する、請求項１２に記載の光線治療器。
【請求項１４】
前記制御モジュールは、発光体の輝度レベルを制御する、請求項１２に記載の光線治療器。
【請求項１５】
前記活性領域は、さらに、無機発光体を含む、請求項７に記載の光線治療器。
【請求項１６】
前記無機発光体は、量子ドットまたは無機燐光物質である、請求項１５に記載の光線治療器。
【請求項１７】
前記活性領域は、少なくとも１つのポリマー発光体または小分子発光体を含む、請求項７に記載の光線治療器。
【請求項１８】
前記活性領域は、複数の垂直に積まれた発光層を含む、請求項７または１２に記載の光線治療器。
【請求項１９】
少なくとも２つの前記複数の垂直に積まれた発光層は、異なる色の光を発するように構成される、請求項１８に記載の光線治療器。
【請求項２０】
前記活性領域は、少なくとも１つの蛍光性発光体または燐光性発光体を含む、請求項７に記載の光線治療器。
【請求項２１】
前記有機発光ダイオードは、さらに、少なくとも１つの正孔注入層を含む、請求項７に記載の光線治療器。
【請求項２２】
少なくとも１つの正孔注入層は、少なくとも１つのポリチオフェンを含む、請求項２１に記載の光線治療器。
【請求項２３】
少なくとも１つの正孔注入層は、少なくとも１つの平坦化剤を含む、請求項２２に記載の光線治療器。
【請求項２４】
前記有機発光ダイオードは、さらに、少なくとも１つの電子伝達層を含む、請求項７に記載の光線治療器。
【請求項２５】
１以上の正孔障壁層、電子障壁層、正孔伝達層、電子伝達層、正孔注入層、または、電子注入層をさらに含む、請求項７に記載の光線治療器。
【請求項２６】
前記被包は、前記光線治療器が１００時間未満の治療時間で機能できるような、酸素および水蒸気の透過度を備える水および空気の遮断材を含む、請求項７に記載の光線治療器。
【請求項２７】
前記被包は、前記光線治療器が１０００時間未満の治療時間で機能できるような、酸素および水蒸気の透過度を備える水および空気の遮断材を含む、請求項７に記載の光線治療器。
【請求項２８】
前記被包は、前記光線治療器が１回限りの治療で機能できるような、酸素および水蒸気の透過度を備える水および空気の遮断材を含む、請求項７に記載の光線治療器。
【請求項２９】
前記活性領域は、０．１ｃｍ2より大きい発光領域を有する、請求項７に記載の光線治療器。
【請求項３０】
前記活性領域は、１ｍ2より小さい発光領域を有する、請求項７に記載の光線治療器。
【請求項３１】
前記活性領域は、約０．１ｃｍ2より大きい発光領域を有する、請求項７に記載の光線治療器。
【請求項３２】
少なくとも１つのセンサーは、温度、酸素レベル、一酸化炭素レベル、二酸化炭素レベル、ビリルビンレベル、皮膚色、血液内容物、体液内容物、血糖内容物、光強度、または、スペクトル特性を見つける、請求項１に記載の光線治療器。
【請求項３３】
タイマーをさらに含む、請求項１に記載の光線治療器。
【請求項３４】
前記タイマーは、セッション時間、全体の治療時間、または、その両方を測定する、請求項３３に記載の光線治療器。
【請求項３５】
光線療法を実行する光線治療方法において、
光線療法で治療される病気を診断することと、
光線療法の光にさらされる、身体の少なくとも１つの領域を決定することと、
前記病気を治療するために、少なくとも１つの治療用波長を決定することと、
身体の前記少なくとも１つの領域に、前記少なくとも１つの治療用波長を照射することと
を含み、
前記少なくとも１つの治療用波長は、請求項１に記載の光線治療器によって生成される、光線治療方法。
【請求項３６】
光線療法を実行する光線治療方法において、
治療用スペクトルによる網膜の刺激によって治療される病気を診断することと、
治療プロトコルを決定することと、
前記病気を治療するために、少なくとも１つの治療用波長を決定することと、
前記少なくとも１つの治療用の波長が、治療用の強さで患者によって可視できるように、患者の近くに、前記少なくとも１つの治療用波長を発する光源を配置することと
を含み、
前記前記光源は、請求項１に記載の光線治療器からなる、光線治療方法。
【請求項３７】
光線療法の光にさらされる身体の前記領域は、身体の内部領域である、請求項３５または３６に記載の光線治療方法。
【請求項３８】
光線療法の光にさらされる身体の前記領域に、感光性薬物を適用することをさらに含み、請求項３５の光線療法を実行する光線治療方法は、治療される病気が、高ビリルビン血症であり、前記少なくとも１つの治療用波長が４１０ｎｍから５５０ｎｍの範囲である、請求項３５、３６、３７のいずれか１項に記載の光線治療方法。
【請求項３９】
光出力連結コンポーネントをさらに含む、請求項６に記載の光線治療器。
【請求項４０】
前記光出力連結コンポーネントは、レンズ、レンズの配列、粗面のＯＬＥＤ基板あるいはインターフェース、格子、回折格子、低屈折率層、または、フォトニック結晶を含む、請求項３９に記載の光線治療器。